(57)【要約】【課題】窓を段違いに連結しても水密性及び気密性を確実に確保できる連結窓を提供する。【解決手段】上下枠及び左右の縦枠を枠組みしてなる枠体内に障子またはパネル体を納めた窓を方立を介して横方向に複数連結してなり、窓のうち方立６の一方側には第１窓２が、方立６の他方側には第２窓３が、それぞれ配置され、第１窓２と第２窓３の少なくともいずれか一方は、縦枠１４が方立６より上下方向に短く形成され、方立６より上下方向に短く形成された縦枠１４には、縦枠１４を上方及び／または下方に延長する捨て枠部１５が連結されて、捨て枠部１５の長さを合わせた縦辺の長さが方立６と略同じ長さとされ、少なくともいずれかに捨て枠部１５が連結された第１窓２の縦枠１４と第２窓３の縦枠２４とが方立６を介して連結されることで、第１窓２と第２窓３が段違い状に配置されてなる。【選択図】図３
2010024630.tif 000002
【特許請求の範囲】
【請求項１】
上下枠及び左右の縦枠を枠組みしてなる枠体内に障子またはパネル体を納めた窓を方立を介して横方向に複数連結してなる連結窓において、
前記窓のうち前記方立の一方側には第１窓が、前記方立の他方側には第２窓が、それぞれ配置され、前記第１窓と第２窓の少なくともいずれか一方は、前記縦枠が前記方立より上下方向に短く形成され、
前記方立より上下方向に短く形成された縦枠には、該縦枠を上方及び／または下方に延長する捨て枠部が連結されて、該捨て枠部の長さを合わせた縦辺の長さが前記方立と略同じ長さとされ、少なくともいずれかに前記捨て枠部が連結された前記第１窓の縦枠と前記第２窓の縦枠とが前記方立を介して連結されることで、前記第１窓と第２窓が段違い状に配置されてなることを特徴とする連結窓。
【請求項２】
前記捨て枠部は前記方立側の面に該方立に対して係合する方立係合部を有してなることを特徴とする請求項１記載の連結窓。
【請求項３】
前記捨て枠部の方立係合部と反対側の面には建物躯体に当接固定される固着フィン部が形成されることを特徴とする請求項２記載の連結窓。
【請求項４】
前記固着フィン部は前記第１窓及び第２窓の外周面に形成され建物躯体に当接固定されるフィン部と略面一状とされてなることを特徴とする請求項３記載の連結窓。
【請求項５】
前記第２窓は複数の窓が無目を介して縦方向に連結されることで、前記方立と略同じ高さを有してなることを特徴とする請求項１〜４のいずれか１項に記載の連結窓。
【発明の詳細な説明】
【技術分野】
【０００１】
本発明は複数の窓を連結してなる連結窓に関し、特に互いに段違いに配置された複数の窓を有してなる連結窓に関する。
【背景技術】
【０００２】
従来、枠体内に障子またはパネル体を納めてなる窓を、横方向に複数連結してなる連結窓が知られている。連結窓の連結される縦枠間には方立が設けられ、この方立を介して窓が連結されていた。このような連結窓としては、例えば特許文献１に挙げるようなものがある。
【特許文献１】特許第３３０５９９２号公報
【発明の開示】
【発明が解決しようとする課題】
【０００３】
従来の連結窓は、連結される２枚の窓の縦辺が同じ高さであった。これに対し、このような態様に限られず、窓を段違い状に配置することで、よりデザインの自由度を高めたいという需要がある。
【０００４】
しかし、窓を段違い状に配置しようとした場合、少なくとも１か所に枠体の外周面が交わる角部が生じる。この角部における水密性及び気密性を確保するのが困難であるため、これまで窓を段違い状に配置した連結窓は提供されることがなかった。
【０００５】
本発明は前記課題を鑑みてなされたものであり、窓を段違いに連結しても水密性及び気密性を確実に確保できる連結窓を提供することを目的とする。
【課題を解決するための手段】
【０００６】
前記課題を解決するため、本発明に係る連結窓は、上下枠及び左右の縦枠を枠組みしてなる枠体内に障子またはパネル体を納めた窓を方立を介して横方向に複数連結してなる連結窓において、
前記窓のうち前記方立の一方側には第１窓が、前記方立の他方側には第２窓が、それぞれ配置され、前記第１窓と第２窓の少なくともいずれか一方は、前記縦枠が前記方立より上下方向に短く形成され、
前記方立より上下方向に短く形成された縦枠には、該縦枠を上方及び／または下方に延長する捨て枠部が連結されて、該捨て枠部の長さを合わせた縦辺の長さが前記方立と略同じ長さとされ、少なくともいずれかに前記捨て枠部が連結された前記第１窓の縦枠と前記第２窓の縦枠とが前記方立を介して連結されることで、前記第１窓と第２窓が段違い状に配置されてなることを特徴として構成されている。
【０００７】
また、本発明に係る連結窓は、前記捨て枠部は前記方立側の面に該方立に対して係合する方立係合部を有してなることを特徴として構成されている。
【０００８】
さらに、本発明に係る連結窓は、前記捨て枠部の方立係合部と反対側の面には建物躯体に当接固定される固着フィン部が形成されることを特徴として構成されている。
【０００９】
さらにまた、本発明に係る連結窓は、前記固着フィン部は前記第１窓及び第２窓の外周面に形成され建物躯体に当接固定されるフィン部と略面一状とされてなることを特徴として構成されている。
【００１０】
そして、本発明に係る連結窓は、前記第２窓は複数の窓が無目を介して縦方向に連結されることで、前記方立と略同じ高さを有してなることを特徴として構成されている。
【発明の効果】
【００１１】
本発明に係る連結窓によれば、方立より上下方向に短く形成された縦枠には、縦枠を上方及び／または下方に延長する捨て枠部が連結されて、捨て枠部の長さを合わせた縦辺の長さが方立と略同じ長さとされ、少なくともいずれかに捨て枠部が連結された第１窓の縦枠と第２窓の縦枠とが方立を介して連結されることで、第１窓と第２窓が段違い状に配置されてなることにより、捨て枠部と縦枠により、縦枠が短く形成された側の方立に対する取付構造を、方立と略同じ高さを有する窓の取付構造と同様とすることができる。したがって、第１窓と第２窓により形成される段差の角部分において、気密性及び水密性を通常の連結窓と同様に容易に確保することができる。
【００１２】
また、本発明に係る連結窓によれば、捨て枠部は方立側の面に該方立に対して係合する方立係合部を有してなることにより、方立に対して縦枠と同様の構造で捨て枠部を固定することができる。
【００１３】
さらに、本発明に係る連結窓によれば、捨て枠部の方立係合部と反対側の面には建物躯体に当接固定される固着フィン部が形成されることにより、捨て枠部が連結窓の外周を構成して、建物躯体に対する固定構造を簡易なものとすることができる。
【００１４】
さらにまた、本発明に係る連結窓によれば、固着フィン部は第１窓及び第２窓の外周面に形成され建物躯体に当接固定されるフィン部と略面一状とされてなることにより、連結される各窓と捨て枠部によって、建物躯体に当接する面を構成して、連結窓を容易に建物躯体に対して固定することができる。
【００１５】
そして、本発明に係る連結窓によれば、第２窓は複数の窓が無目を介して縦方向に連結されることで、方立と略同じ高さを有してなることにより、縦方向に長い第２窓を容易に構成することができる。
【発明を実施するための最良の形態】
【００１６】
本発明の実施形態について、図面に沿って詳細に説明する。図１には、本実施形態における連結窓１の斜視図を示している。この図に示すように、本実施形態の連結窓１は、高さの低い第１窓２と、第１窓２と同じ高さを有する上構成窓４及び下構成窓５を上下方向に連結してなる第２窓３とを、左右方向に連結することで、第１窓２と第２窓３とを段違い状に配置してなるものである。
【００１７】
ここで、第１窓２は、第２窓３の下部を構成する下構成窓５に隣接するように配置されており、したがって、第１窓２と第２窓３の下辺は一直線状とされる一方、第１窓２の上辺は第２窓３の上辺より低い位置にあって、連結窓１の上側面が階段状となるように構成されている。
【００１８】
図２には、連結窓１の正面図を示している。この図は連結窓を室外側から見たものである。図２に示すように、第１窓２は、上枠１２と下枠１３及び左右の縦枠１４、１４を方形状に枠組みしてなる枠体１０内に、ガラス板からなるパネル体１１を納めて構成されている。また、第２窓２を構成する上構成窓４と下構成窓５は、いずれも上枠２２と下枠２３及び左右の縦枠２４、２４を方形状に枠組みしてなる枠体２０内に、ガラス板からなるパネル体２１を納めて構成されている。
【００１９】
第１窓２と第２窓３は、方立６によって左右方向に連結されている。方立６は、第１窓２よりも高さの大きい第２窓３と略同じ高さを有するように形成されており、その全長に渡って第２窓３と連結され、第１窓２が配置された領域では第１窓２と連結されると共に、第１窓２よりも上方においては、第１窓２の縦枠１４に取付けられた捨て枠部１５と連結される。また、第２窓３を構成する上構成窓４と下構成窓５は、無目７を介して連結されている。
【００２０】
図３には、連結窓１の分解斜視図を示している。この図に示すように、第１窓２の方立６と連結される縦枠１４には、この縦枠１４を上方に延長する捨て枠部１５が連結されている。捨て枠部１５は、方立６と対向する面が縦枠１４と同じ形状となるように形成されており、またその上端位置は方立６の上端位置と略同じとなるようにされており、したがって方立６の第１窓２側の面に対しては、第１窓２の縦枠１４と捨て枠部１５が略全長に渡って連結される。
【００２１】
一方、第２窓２は、前述のように方立６の高さと略同じ高さを有しており、したがって縦枠２４が方立６の略全長に渡って連結される。このように、方立６の第１窓２側の面に捨て枠部１５を連結してこれを覆うようにしたので、第１窓２と第２窓２を段違い状に配置しても、同じ高さを有した２つの窓を連結する場合と同様に方立６により連結をなすことができるので、連結窓１の特に段差をなす角部における気密性及び水密性を容易に確保することができる。
【００２２】
方立６の端面を含む第１窓２と第２窓２の連結端部には、上下にそれぞれ上塞ぎキャップ３０と下塞ぎキャップ３１が取付けられる。上塞ぎキャップ３０は、捨て枠部１５の方立６と連結される面の上端面と方立６の上端面及び第２窓２の縦枠２４の上端面を覆うと共に、第２窓２の上枠２２端部にかかるように形成されている。下塞ぎキャップ３１も、捨て枠部１５の方立６と連結される面の下端面と方立６の下端面及び第２窓２の縦枠２４の下端面を覆うと共に、第２窓２の下枠２３端部にかかるように形成されている。
【００２３】
次に、第１窓２と捨て枠部１５の連結構造について説明する。図４には、第１窓２と捨て枠部１５の分解斜視図（図４（ａ））及び側面図（図４（ｂ））を示している。第１窓２の縦枠１４と捨て枠部１５は、連結金具３２によって連結されている。連結金具３２は、略板状の金具からなり、縦枠１４の上端部に当接してネジ止め固定されると共に、捨て枠部１５の下端部にも当接してネジ止め固定され、これによって両者を連結するようにしている。
【００２４】
図５には、図４（ａ）の第１窓２と捨て枠部１５の連結部分付近拡大図を示している。この図に示すように、捨て枠部１５の下端は直線状に切断されており、この下端を第１窓２の縦枠１４上端に突き合わせて、連結金具３２によって連結がなされる。このように、捨て枠部１５の下端を直線状としたので、捨て枠部１５の加工を容易にすることができ、また寸法が異なる捨て枠部１５を用意する場合にも、簡単に加工を行うことができるので、容易に対応することができる。
【００２５】
ただし、図５に示すように、捨て枠部１５の室外端部には、室外側に面する室外面部１５ｂが形成され、その下端部には切欠き部１５ｃが形成されている。一方で、連結金具３２には室外端部の中央位置に室外面部１５ｂと同様の断面形状を有した連結塞ぎ部３２ｃが設けられている。第１窓２の縦枠１４にも、室外端部に同様の室外面部１４ｄが形成されており、縦枠１４と捨て枠部１５を連結金具３２により連結することにより、連結塞ぎ部３２ｃが捨て枠部１５の切欠き部１５ｃの部分に適合して、縦枠１４の室外面部１４ｄと捨て枠部１５の室外面部１５ｂとを連続状とする。
【００２６】
図３に示すように、第２窓３側においても、上構成窓４と下構成窓５の連結側部に方立側段窓連結金具３３が設けられており、上構成窓４の下枠２３と下構成窓５の上枠２２にそれぞれ当接すると共に、ビス止めされて連結をなしている。方立側段窓連結金具３３には、上構成窓４の縦枠２４と下構成窓５の縦枠２４との間に生じる隙間を埋めるように連結塞ぎ部３３ａが形成されている。縦枠１４と捨て枠部１５を連結する連結金具３２は、この方立側段窓連結金具３３と同形状の部品を用いており、連結塞ぎ部３２ｃを納めることができるように、捨て枠部１５の下端部に切欠き部１５ｃを設けている。なお、図２に示すように、上構成窓４と下構成窓５の枠側の連結側部には、枠側段窓連結金具３４が設けられている。枠側段窓連結金具３４は、方立側段窓連結金具３３と同様に連結塞ぎ部３４ａを有し、さらに上構成窓４と下構成窓５の各フィン部１６を連続状とするフィン部３４ｂが形成されている。
【００２７】
一方で、連結金具３２は方立側段窓連結金具３３とはビスを固定する孔の位置が異なっている。図５に示すように、連結金具３２の下部には、長孔状に形成され、第１窓２の上枠１２に長手方向に沿って形成されるビスホール部１２ｂと連通する上枠連通孔３２ａが形成され、連結金具３２の上部には、捨て枠部１５に対するビスの挿通孔３２ｂを有している。挿通孔３２ｂは、内周面にネジ山が切られており、捨て枠部１５側からビスが挿通され、連結金具３２側に螺合される。一方、上枠連通孔３２ａに対しては、連結金具３２側からビスが挿通され、上枠１２のビスホール部１２ｂに対して螺合がなされる。
【００２８】
図５に示すように、第１窓２の上枠１２上面は、室外端部側に室外側に向かう下り傾斜状の傾斜面部１２ｃが形成されており、また、その室内外中間位置には段部１２ｄも形成されている。縦枠１４の上端部も上枠１２の形状に適合するように形成されているので、下端部が直線状とされた捨て枠部１５を縦枠１４に突き合わせると、傾斜面部１２ｃと段部１２ｄの部分に隙間を生じることとなる。このため、この隙間部分については、捨て枠部１５と第１窓２との間の気密性及び水密性の確保を図るため設けられるコーキング材により、塞ぐようにする。
【００２９】
図６には図２のＡ−Ａ断面図を、図７には図２のＢ−Ｂ断面図を、図８には図２のＣ−Ｃ断面図を、図９には図２のＤ−Ｄ断面図を、それぞれ示している。図６と図８に示すように、第１窓２は上枠１２と下枠１３が断面中空状に形成され、縦枠１４は方立６または建物躯体と対向する対向面部１４ａと、対向面部１４ａの内周面に設けられパネル体１１を保持するパネル体保持部１４ｂとを有して構成されている。また、上枠１２と下枠１３もそれぞれ内周面にパネル体保持部１２ａ、１３ａを備えており、これらによってパネル体１１を保持するようにしている。
【００３０】
図７と図８に示すように、第２窓３を構成する上構成窓４及び下構成窓５も、第１窓２と同様の構成を有している。すなわち、上枠２２と下枠２３はそれぞれパネル体保持部２２ａ、２３ａを有すると共に断面中空状に形成され、縦枠２４は方立６または建物躯体と対向する対向面部２４ａとパネル体保持部２４ｂとを有して構成されている。
【００３１】
図７に示すように、第２窓３を構成する上構成窓４と下構成窓５は、無目７を介して連結されている。無目７は、上構成窓４の下枠２３及び下構成窓５の上枠２２の間に配置されてこれらと対向する連結面部７ａと、連結面部７ａの室外側寄りに形成される係合部７ｂと、連結面部７ａの係合部７ｂより室内側寄りに設けられる当接部７ｃと、連結面部７ａの室内端部に形成される連結部７ｄとを有している。
【００３２】
上構成窓４の下枠２３と下構成窓５の上枠２２には、それぞれ無目７の係合部７ｂに係合可能な無目係合部２２ｂ、２３ｂが形成されている。また、無目７の当接部７ｃには、タイト材７ｅが保持され、このタイト材７ｅが上構成窓４の下枠２３と下構成窓５の上枠２２の各外周面に当接して、気密性を確保するようにしている。無目７の連結部７ｄは、外周側に延出するように形成されており、上構成窓４の下枠２３と下構成窓５の上枠２２にそれぞれ当接し、ネジ止めされることによって無目７と各枠とを連結する。さらに、連結部７ｄの室内側には、樹脂カバー体７ｆが設けられて、金属の露出面を覆うようにしている。
【００３３】
図８に示すように、第１窓２と下構成窓５は、方立６を介して連結されている。方立６は、第１窓２と下構成窓５の縦枠２４の間に配置されてこれらと対向する連結面部６ａと、連結面部６ａの室外側端部に形成される係合部６ｂと、連結面部６ａの室内外中間位置に設けられる当接部６ｃと、連結面部６ａの室内端部に形成される連結部６ｄとを有している。
【００３４】
第１窓２の縦枠１４と下構成窓５の縦枠２４には、それぞれ方立６の係合部６ｂに係合可能な方立係合部１４ｃ、２４ｃが形成されている。また、方立６の当接部６ｃには、タイト材６ｅが保持され、このタイト材６ｅが第１窓２の縦枠１４と下構成窓５の縦枠２４の各外周面に当接して、気密性を確保するようにしている。方立６の連結部６ｄは、外周側に延出するように形成されており、第１窓２の縦枠１４と下構成窓５の縦枠２４に室内側からそれぞれ当接し、ネジ止めされることによって方立６と各枠とを連結する。さらに、連結部６ｄの室内側には、樹脂カバー体６ｆが設けられて、金属の露出面を覆うようにしている。
【００３５】
図９に示すように、上構成窓４は下構成窓５と同様の構造により方立６と連結されている。図１０には、図８のうち方立６付近の拡大図を示している。この図に示すように、捨て枠部１５は方立６側の面が第１窓２を構成する縦枠１４と同様の形状を有するように形成されているため、これも縦枠１４と同様の構造により方立６と連結される。すなわち、捨て枠部１５は方立係合部１５ａで方立６の係合部６ｂと係合し、方立６の当接部６ｃに保持されたタイト材６ｅが捨て枠部１５に当接すると共に、捨て枠部１５の室内端部において方立６の連結部６ｄと当接し、ネジ止めにより固定がなされる。
【００３６】
また、図６〜図９の各図に示すように、第１窓２の上枠１２と下枠１３及び建物躯体側の縦枠１４には、それぞれ外周面にフィン部１６が形成されている。また、第２窓３を構成する上構成窓４の上枠２２と建物躯体側の縦枠２４、下構成窓５の下枠２３及び建物躯体側の縦枠２４にも、それぞれ外周面にフィン部１６が形成されている。すなわち、これによって図２に示すように、連結窓１の外周に沿ってフィン部１６が形成されている。
【００３７】
捨て枠部１５が設けられる辺には、枠体１０、２０が露出していないので、この辺においてもフィン部を連続させるため、捨て枠部１５の方立６とは反対側の面には、固着フィン部１７が形成されている。これらフィン部１６と固着フィン部１７は、室内外方向において略同じ位置に配置され、したがってこれらは連結窓１の外周面の全周に渡って略面一状となるようにされている。そして、フィン部１６及び固着フィン部１７は建物躯体に対して室外側から当接し、固着されることで、連結窓１が建物躯体に固定される。
【００３８】
このように、第１窓２と第２窓３を段違い状に配置し、第１窓２の縦枠１４に捨て枠部１５を連結し、縦辺が方立６と略同じ高さとなるようにしたので、捨て枠部１５と第１窓２の縦枠１４により、第１窓２側の方立６に対する取付構造を、方立６と略同じ高さを有する窓の取付構造と同様とすることができる。すなわち、方立６に対する取付けを、捨て枠部１５により縦辺を延長した第１窓２と第２窓３とで、同様の構造でなすことができるので、第１窓２と第２窓３により形成される段差の角部分において、気密性及び水密性を通常の連結窓と同様に容易に確保することができる。
【００３９】
次に、連結窓１の建物躯体に対する納まり状態について説明する。図１０には本実施形態の連結窓１を建物躯体に取付けた状態の正面図を、図１１には本実施形態の連結窓１を建物躯体に取付けた状態の背面図を、それぞれ示している。これら各図に示すように、建物躯体は、連結窓１が配置される領域の左右にそれぞれ縦材４０、４０が配置され、また連結窓１が配置される領域の上下にそれぞれ横材４１、４１が配置され、これらによって方形状の大開口部４４が形成される。
【００４０】
大開口部４４を構成する上側の横材４１には、縦方向に伸びる縦補助柱４２が取付けられる。また、大開口部４４を構成する第１窓２側の縦材４０には、横方向に伸びる横補助柱４３が取付けられる。これらによって、大開口部４４内には、連結窓１の外周形状に沿った形状の開口部４５が形成される。連結窓１のフィン部１６及び捨て枠部１５の固着フィン部１７が、開口部４５の縁部に全周に渡って室外側から当接し、固定されることによって、連結窓１は建物躯体に固定される。
【００４１】
大開口部４４を構成する縦材４０と横材４１は、木製の角材によって形成されている。また、開口部４５を構成する縦補助柱４２と横補助柱４３も、木製の角材によって形成されており、これらは先端部で突き合わされ連結されることによって、大開口部４４内で略Ｌ字状をなすように配置される。
【００４２】
図１２〜図１５には、連結窓１が建物躯体に納まった状態の図であって、図６〜図９にそれぞれ対応した断面図を示している。これら各図に示すように、第１窓２のフィン部１６と第２窓３のフィン部１６及び捨て枠部１５の固着フィン部１７は、それぞれ建物躯体の開口部４５の室外面に対して、当接しビス止めされる。また、フィン部１６及び固着フィン部１７が建物躯体に当接した位置より室外側には、外壁材４６が設けられ、連結窓１と外壁材４６の間には気密材４７が設けられる。
【００４３】
また、これら各図においては、連結窓１の室内側に額縁材９を配設している。第１窓２と上構成窓４及び下構成窓５には、それぞれ四周に渡ってアングル部１８が形成されている。図１２に示すように、第１窓２の上枠１２と下枠１３の各アングル部１８は、それぞれ額縁材９の内周面に当接し、ビス止め固定されている。なお、額縁材９は室外側面がそれぞれ上枠１２、下枠１３の室内側面に当接して位置決めされている。
【００４４】
図１４に示すように、第１窓２の建物躯体側の縦枠１４に形成されたアングル部１８は、額縁材９の内周面に当接しビス止め固定されている。一方、第１窓２の方立側の縦枠１４に形成されたアングル部１８は、方立６の樹脂カバー体６ｆの側面を覆うと共に、アングル部１８から樹脂カバー体６ｆの側面に対してビス止めがなされる。
【００４５】
図１６には、図１４の方立６付近拡大図を示している。この図に示すように、捨て枠部１５は、方立６の連結部６ｄと当接する面が、外周側に延出されて室内面部１５ｄを構成している。室内面部１５ｄに対しては、額縁材９の室内側面が当接し、これによって額縁材９の位置決めがなされる。
【００４６】
さらに、捨て枠部１５の室内端部には、室内側に向かって突出するように室内突出片１５ｅが形成されている。室内突出片１５ｅは、方立６の樹脂カバー体６ｆの側面を覆うように室内側に向かって伸びており、樹脂カバー体６ｆに対して挿入され、両者が連結される。これにより、捨て枠部１５においても縦枠１４と同様の構造により方立６に対する固定をなすことができ、樹脂カバー体６ｆも両側部でビス止めされるので、強固に固定することができる。なお、室内突出片１５ｅの方立６とは反対側の面は、額縁材９に当接し、室内側には直接露出することがない。
【００４７】
捨て枠部１５を用いて窓を段違い状に配置する連結窓としては、第１の実施形態に示したものには限られず、様々な窓の配置が可能である。図１７には、本発明の第２の実施形態における連結窓１の斜視図を示している。この図に示すように本実施形態では、第１窓２を第２窓３の上構成窓４に隣接するようにして、第１窓２と第２窓３とを横方向に連結している。
【００４８】
図１７では、第２窓３の下構成窓５に隣接する領域には、窓が配置されず、それによって連結窓１全体としては段違い状の配列をなしている。また、第１窓２の縦枠１４を下方に延長するように捨て枠部１５が連結されている。第１窓２は連結窓１の上寄りに設けられているので、第１の実施形態と異なり捨て枠部１５は第１窓２の下方に延びるように設けられる。
【００４９】
図１８には、本発明の第３の実施形態における連結窓１の斜視図を示している。この図に示すように、本実施形態では、第２窓３の両側にそれぞれ第１窓２を配置している。両側の第１窓２は、それぞれ方立６を介して第２窓３と連結されている。また第１窓２は、いずれも第２窓３の上下方向略中央位置に配置されており、第１窓２の上方と下方が、それぞれ窓の設けられない領域となって段違い状を構成している。
【００５０】
第１窓２の縦枠１４には、上端と下端にそれぞれ捨て枠部１５が連結されている。すなわち、本実施形態において捨て枠部１５は、第１窓２の上方と下方にそれぞれ延びるように設けられ、第１窓２の縦辺が方立６と略同じ高さとなるようにしている。これによって、第１窓２側を第２窓３と同様の取付構造で方立６に対して固定することができる。このように、捨て枠部１５は縦枠１４の上方または下方のみならず、両方に設けて第１窓２を第２窓３の上下方向中間位置に配置することもできる。
【００５１】
図１９には、本発明の第４の実施形態における連結窓１の斜視図を示している。この図に示すように、本実施形態では第３の実施形態と同様に、第２窓３の両側にそれぞれ第１窓２を配置している。ただし、第３の実施形態と異なり、第２窓３は３枚の窓を無目７を介して縦方向に連結して構成されている。第２窓３は、上から順に上構成窓４、中構成窓８及び下構成窓５からなり、このうち第１窓２は中構成窓８に隣接するように配置される。
【００５２】
本実施形態においても、捨て枠部１５は第１窓２の上方と下方にそれぞれ延びるように設けられ、第１窓２の縦辺が方立６と略同じ高さとなるようにしている。これによって、第１窓２側を第２窓３と同様の取付構造で方立６に対して固定することができる。このように、第２窓３をより多くの枚数の窓を連結することにより構成してもよい。一方で、第２窓３を１枚の縦長状の窓によって構成してもよく、いずれにしても第１窓２との間で段違い状に配置できるようにしていればよい。
【００５３】
図２０と図２１には、本発明の第５の実施形態における連結窓１の斜視図を示している。これら各図に示すように、本実施形態では第１窓２と第２窓３とが略同じ高さを有しており、互いに隣接する領域には窓が配置されず、第１窓２と第２窓３は互い違い状となるように配置されている。
【００５４】
図２０に示すように、第１窓２の縦枠１４には上端に捨て枠部１５が連結され、第１窓２の縦辺を上方に延長している。一方、図２１に示すように、第２窓３の縦枠２４には下端に捨て枠部１５が連結され、第２窓３の縦辺を下方に延長している。これによって、方立６の両側において第１窓２と第２窓３を方立６と略同じ高さを有した窓として扱い、連結することができる。
【００５５】
これらの実施形態に示すように、第１窓２と第２窓３の組み合わせは、様々なものが考えられ、いずれにおいても、第１窓２と第２窓３の高さを方立６に合わせるように捨て枠部１５を設けることで、窓を段違い状に配置しても方立６に対する取付構造を通常の窓と同様とすることができ、特に段差による角部における気密性や水密性を容易に確保することができる。
【００５６】
以上、本発明の実施形態について説明したが、本発明の適用は本実施形態には限られず、その技術的思想の範囲内において様々に適用されうるものである。本実施形態では、連結窓１を構成する窓は、いずれも枠体内にパネル体を直接納めた所謂嵌め殺し窓であるが、その他の種類の窓であってもよく、例えば辷り出し窓や開き窓、突き出し窓やルーバー窓などであってもよい。
【図面の簡単な説明】
【００５７】
【図１】本実施形態における連結窓の斜視図である。
【図２】連結窓の正面図である。
【図３】連結窓の分解斜視図である。
【図４】第１窓と捨て枠部の分解斜視図及び側面図である。
【図５】図４（ａ）の第１窓と捨て枠部の連結部分付近拡大図である。
【図６】図２のＡ−Ａ断面図である。
【図７】図２のＢ−Ｂ断面図である。
【図８】図２のＣ−Ｃ断面図である。
【図９】図２のＤ−Ｄ断面図である。
【図１０】本実施形態の連結窓を建物躯体に取付けた状態の正面図である。
【図１１】本実施形態の連結窓を建物躯体に取付けた状態の背面図である。
【図１２】図６の連結窓が建物躯体に納まった状態の図である。
【図１３】図７の連結窓が建物躯体に納まった状態の図である。
【図１４】図８の連結窓が建物躯体に納まった状態の図である。
【図１５】図９の連結窓が建物躯体に納まった状態の図である。
【図１６】図１４の方立付近拡大図である。
【図１７】本発明の第２の実施形態における連結窓の斜視図である。
【図１８】本発明の第３の実施形態における連結窓の斜視図である。
【図１９】本発明の第４の実施形態における連結窓の斜視図である。
【図２０】本発明の第５の実施形態における連結窓の斜視図である。
【図２１】本発明の第５の実施形態における連結窓の別の角度から見た斜視図である。
【符号の説明】
【００５８】
１    連結窓
２    第１窓
３    第２窓
４    上構成窓
５    下構成窓
６    方立
７    無目
１０    枠体
１１    パネル体
１２    上枠
１３    下枠
１４    縦枠
１５    捨て枠部
１６    フィン部
１７    固着フィン部
２０    枠体
２１    パネル体
２２    上枠
２３    下枠
２４    縦枠
３０    上塞ぎキャップ
３１    下塞ぎキャップ
３２    連結金具
【図１】
2010024630.tif 000003
【図２】
2010024630.tif 000004
【図３】
2010024630.tif 000005
【図４】
2010024630.tif 000006
【図５】
2010024630.tif 000007
【図６】
2010024630.tif 000008
【図７】
2010024630.tif 000009
【図８】
2010024630.tif 000010
【図９】
2010024630.tif 000011
【図１０】
2010024630.tif 000012
【図１１】
2010024630.tif 000013
【図１２】
2010024630.tif 000014
【図１３】
2010024630.tif 000015
【図１４】
2010024630.tif 000016
【図１５】
2010024630.tif 000017
【図１６】
2010024630.tif 000018
【図１７】
2010024630.tif 000019
【図１８】
2010024630.tif 000020
【図１９】
2010024630.tif 000021
【図２０】
2010024630.tif 000022
【図２１】
2010024630.tif 000023